(57)【特許請求の範囲】
【請求項１】
遊技者によって前側から前後方向に押圧操作される押しボタンと、
該押しボタンを前後方向に移動可能に保持するボタンケースと、
前記ボタンケースを前側から覆う前カバーとを備えた遊技機において、
前記押しボタンは遊技者によって操作される被操作部と、該被操作部を支持する胴部とを備え、
前記ボタンケースは前記前カバーにより覆われる前壁部と、前記胴部を前後方向に移動可能に保持する胴保持部とを一体に備え、
前記胴保持部は前記前壁部から後側への突出長さが前側への突出長さよりも大であり、
前記被操作部は押圧操作用の頂部と、該頂部の外周側から前記胴保持部の外周へと後広がり状に拡径する拡径部とを備え、
前記拡径部の最外周縁は前記胴保持部の外周側で前記前カバーの開口部内に位置する
ことを特徴とする遊技機。
【発明の詳細な説明】
【技術分野】
【０００１】
本発明は、押しボタンを備えたスロットマシン等の遊技機に関する。
【背景技術】
【０００２】
各種遊技機、例えばスロットマシンには、遊技者が押圧操作可能なベットボタン、ストップボタン等の押しボタンを含む押しボタンユニットが搭載されている。
【０００３】
この従来の押しボタンユニットは、押しボタンと、この押しボタンを押圧方向に移動可能に保持するボタンケースと、押しボタンを戻し方向に付勢する付勢手段とを備え、また押しボタンは、遊技者により操作される被操作部と、この被操作部を突出状に支持する大径の胴部とを有し、その胴部がボタンケースにより押圧方向に移動可能に保持されている（特許文献１）。
【先行技術文献】
【特許文献】
【０００４】
【特許文献１】特開２００７−２８９２６３号公報
【発明の概要】
【発明が解決しようとする課題】
【０００５】
従来の押しボタンは、大径の胴部の先端からこれよりも小さい被操作部が突出しており、その被操作部を遊技者が軸方向に押圧操作する構造であるため、被操作部の操作性の向上とボタンケース側を含む全体構造の小型化とを同時に達成することが難しいという問題がある。
【０００６】
即ち、従来の押しボタンは、大径の胴部に対して被操作部が小さいため、配置箇所の周辺部材又は機器類との干渉を避けるべく胴部及びボタンケースを小型化すれば、それに伴って被操作部の大きさが小さくなり、被操作部の操作性が極端に低下する惧れがある。
【０００７】
一方、被操作部の操作性を確保すべく被操作部を大きくすれば、それに伴って胴部及びボタンケースが大径化してボタンケース側を含む全体構造が大型化する上に、複数の押しボタンを並べて配置する場合には、ボタンケースの大型化に伴って各押しボタン相互の被操作部間の間隔が広がる結果となり、そのため却って各被操作部の操作性が低下する等の新たな問題が発生する惧れがある。
【０００８】
本発明は、こうした従来の問題点に鑑み、被操作部の操作性の向上と全体構造の小型化とを容易に図ることができる遊技機を提供することを目的とする。
【課題を解決するための手段】
【０００９】
本発明は、遊技者によって前側から前後方向に押圧操作される押しボタンと、該押しボタンを前後方向に移動可能に保持するボタンケースと、前記ボタンケースを前側から覆う前カバーとを備えた遊技機において、前記押しボタンは遊技者によって操作される被操作部と、該被操作部を支持する胴部とを備え、前記ボタンケースは前記前カバーにより覆われる前壁部と、前記胴部を前後方向に移動可能に保持する胴保持部とを一体に備え、前記胴保持部は前記前壁部から後側への突出長さが前側への突出長さよりも大であり、前記被操作部は押圧操作用の頂部と、該頂部の外周側から前記胴保持部の外周へと後広がり状に拡径する拡径部とを備え、前記拡径部の最外周縁は前記胴保持部の外周側で前記前カバーの開口部内に位置するものである。
【発明の効果】
【００１２】
本発明では、被操作部の操作性の向上と全体構造の小型化とを容易に図ることが可能である。
【図面の簡単な説明】
【００１３】
【図１】本発明の第1 の実施形態に係るスロットマシンの全体正面図である。
【図２】同スロットマシンの全体側面図である。
【図３】同押しボタンユニット及び前カバーの取り付け状態の分解斜視図である。
【図４】同押しボタンユニットの分解斜視図である。
【図５】同押しボタンユニットの取り付け状態の平面断面図である。
【図６】同押しボタンユニットの取り付け状態の側面断面図である。
【図７】（ａ）は同キャップ部の一部破断正面図、（ｂ）は同キャップ部の側面断面図、（ｃ）は同キャップ部の背面図である。
【図８】同押しボタンユニットの分解平面断面図である。
【図９】同押しボタンユニットの分解側面断面図である。
【図１０】本発明の第２の実施形態に係る押しボタンユニットの取り付け状態の断面図である。
【図１１】（ａ）〜（ｆ）は本発明の第３の実施形態に係る押しボタンユニットの一部破断側面図である。
【図１２】本発明の第４の実施形態に係る押しボタンユニットの要部の平面断面図である。
【図１３】本発明の第５の実施形態に係る押しボタンユニットの平面断面図である。
【図１４】本発明の第６の実施形態に係る押しボタンユニットの正面図である。
【図１５】同押しボタンユニットの平面断面図である。
【図１６】本発明の第７の実施形態に係るパチンコ機の平面図である。
【図１７】同チャンスボタンの取り付け状態の平面断面図である。
【図１８】同チャンスボタンの一部破断平面図である。
【発明を実施するための形態】
【００１４】
以下、本発明の実施形態を図面に基づいて詳述する。
【００１５】
図１〜図９は本発明をスロットマシンとして具現化した第１の実施形態を例示する。図１及び図２において、１は遊技機本体であり、この遊技機本体１は本体ケース２と、この本体ケース２の前側に開閉自在に配置された矩形状の前面パネル３とを備えている。
【００１６】
本体ケース２は前側が開放した箱形であって、３個（複数個）の図柄表示リール４が左右方向に配列された表示リールユニット５と、メダル払い出し装置６と、主制御基板を収容する主制御基板ケース７とが内部に配置されている。
【００１７】
前面パネル３は、左右一端側のヒンジにより本体ケース２に開閉自在に装着されており、その上部側には第１表示窓８と第２表示窓９とが上下に配置されている。第１表示窓８は本体ケース２側の各図柄表示リール４に対応して矩形状に形成されており、この第１表示窓８を介して図柄表示リール４を前側から視認可能である。
【００１８】
第２表示窓９は第１表示窓８よりも大型の矩形状であって、前面パネル３の裏側に装着された液晶表示ユニット１０の表示画面１０ａに対応して形成されており、この第２表示窓９を介して表示画面１０ａを前側から視認可能である。
【００１９】
前面パネル３の下端部前側には、メダル払い出し装置６から払い出されたメダルや返却されたメダルを前側に排出するための排出口１２と、この排出口１２から排出されたメダルを受ける横長状のメダル受け皿１３とが配置されている。
【００２０】
第２表示窓９の下側には、操作パネル部１４が横長状に設けられ、この操作パネル部１４に、遊技媒体としてのメダルを投入可能なメダル投入口１５と、メダル投入口１５内に詰まったメダルを返却させるための返却ボタン１６と、メダル投入口１５へのメダル投入に代えてクレジットからメダルをベットするためのベットボタン１７と、マックスベットボタン１８及びキャンセルボタン１９と、各図柄表示リール４の回転を開始させるためのスタートレバー２０と、回転中の各図柄表示リール４を個別に停止させる３個（複数個）のストップボタン（押しボタン）２２とが設けられている。
【００２１】
各ストップボタン２２は押しボタンユニット２３上に左右方向に所定の間隔を置いて横一列状に設けられている。押しボタンユニット２３は、図３に示すように、操作パネル部１４の左右方向の略中央の装着部２４に対して前面パネル３の後側から着脱自在に装着され、装着部２４の前側に装着された前カバー２５により、各ストップボタン２２の被操作部２６を除く外周側が前側から覆われている。
【００２２】
押しボタンユニット２３は、図２〜図９に示すように、各ストップボタン２２と、この各ストップボタン２２を軸方向（本実施形態では前後方向）に移動可能に保持するボタンケース２７と、このボタンケース２７内に収容され且つ各ストップボタン２２を戻し方向に付勢するコイル状の戻しバネ２８と、ボタンケース２７内に収容され且つ各ストップボタン２２に対応する検出スイッチ２９及びＬＥＤ３０が設けられたスイッチ基板３１とを備えている。
【００２３】
ストップボタン２２は、図２〜図９に示すように、截頭円錐状の被操作部２６と、この被操作部２６を支持する略円筒状の胴部３２とを備えている。被操作部２６は軸方向に偏平状であって、平坦状に形成された押圧操作用の頂部３３と、この頂部３３の外周側から胴部３２へと後側に拡径する拡径部３４と、この拡径部３４の後側に形成された筒部３５とを略同心状に一体に備えている。
【００２４】
被操作部２６は遊技者の押圧操作時の操作性を考慮して胴部３２よりも大径に構成されており、その拡径部３４、筒部３５の最外周縁が胴部３２の外側に位置する形状となっている。なお、筒部３５は省いてもよい。被操作部２６は、光透過性を有する合成樹脂材により成形されている。
【００２５】
胴部３２は前胴部３２ａと、この前胴部３２ａの後側に挿入された後胴部３２ｂとを備え、両者が係合手段３６を介して軸方向に着脱自在に結合されている。前胴部３２ａは被操作部２６と一体であって、頂部３３の外周側近傍から後側へと一体に突出して略同心状に形成されている。
【００２６】
この前胴部３２ａの外周側には、被操作部２６の拡径部３４及び筒部３５との間に環状凹部３７が設けられている。被操作部２６の拡径部３４と前胴部３２ａとの間には、周方向に複数個の補強リブ３８が放射状に設けられている。なお、補強リブ３８は省いてもよい。係合手段３６は前胴部３２ａに形成された周方向に複数個の係合孔３６ａと、後胴部３２ｂに形成され且つ係合孔３６ａに係脱自在に係合する周方向に複数個の係合爪３６ｂとを有する。
【００２７】
後胴部３２ｂは遮光性を有する合成樹脂製であって、前広がりのテーパー状に形成された反射壁部３９を内周側に一体に備えている。反射壁部３９内にはＬＥＤ３０が配置され、また反射壁部３９の後側には被検出片４０が設けられている。ＬＥＤ３０は点灯時に被操作部２６を後側から照明して発光させるためのものである。検出スイッチ２９は被検出片４０を介してストップボタン２２の操作を検出するものであり、この検出スイッチ２９に対して被検出片４０が出退するようになっている。
【００２８】
ボタンケース２７は左右方向に長いケース本体４２と、このケース本体４２の後側に着脱自在に装着された裏蓋４３とを備えている。ケース本体４２は前部側の板状の支持部４４と、この支持部４４に左右方向に所定間隔を置いて軸方向に貫通状に形成された略有底円筒状の胴保持部４５と、支持部４４から後方に突出し且つ各胴保持部４５を取り囲む周壁部４６とを有する。周壁部４６の後部内側にはスイッチ基板３１が収容され、その周壁部４６の後端側に裏蓋４３が装着されている。スイッチ基板３１には各ストップボタン２２毎に検出スイッチ２９とＬＥＤ３０とが設けられている。
【００２９】
支持部４４は装着部２４の開口部４７の外周縁に裏側から当接され、左右両端側が装着部２４にネジ４８により着脱自在に固定されている。ネジ４８は支持部４４の後側から挿通してもよいし、前面パネル３の前側から挿通してもよい。胴保持部４５はストップボタン２２の胴部３２を軸方向に移動自在に保持するためのもので、大径の前保持部４５ａと小径の後保持部４５ｂとが段差４５ｃを介して設けられており、その前保持部４５ａに前胴部３２ａが、後保持部４５ｂに後胴部３２ｂが夫々摺動自在に挿入されている。
【００３０】
前保持部４５ａは支持部４４の前後両側に跨って形成され、その前端部側は支持部４４から前側に突出している。前保持部４５ａは被操作部２６の筒部３５の内径よりも小径であって、ストップボタン２２が待機状態のときには、前保持部４５ａの前端側と被操作部２６との間に所定の間隔があるが、ストップボタン２２を押圧操作したときに、前保持部４５ａの前端が被操作部２６の環状凹部３７内に入るようになっている。なお、被操作部２６の筒部３５と支持部４４との間には、ストップボタン２２の移動量に見合う隙間が設けられている。
【００３１】
胴部３２と胴保持部４５との間には規制手段５０が設けられている。この規制手段５０は、ストップボタン２２の移動範囲を待機位置と最大押圧位置とに規制するためのものであって、後保持部４５ｂと、後胴部３２ｂの外周に設けられ且つ被操作部２６を最大押圧位置に押圧操作したときに後保持部４５ｂに前側から当接する鍔部５０ａと、後胴部３２ｂの外周に設けられ且つ戻しバネ２８の付勢により待機位置のときに後保持部４５ｂに後側から当接する係合爪５０ｂとを備えている。後保持部４５ｂは中間底部４５ｄを有し、この中間底部４５ｄと後胴部３２ｂとの間に戻しバネ２８が介在されている。
【００３２】
前カバー２５は不透明な合成樹脂製であって、各ストップボタン２２の被操作部２６が突出する開口部５１を有し、被操作部２６の外周でボタンケース２７を前側から覆うように装着部２４内に配置され、左右両端側の取り付けボス部２５ａが装着部２４の取り付け部２４ａに対してネジ５２により後側から着脱自在に装着されている。ネジ５２は前面パネル３の装着部２４の後側から挿通されている。前カバー２５は各開口部５１の外側に周壁部５３を有し、この各周壁部５３の後端が支持部４４の前面に当接されている。なお、前カバー２５と支持部４４は、各胴保持部４５間等の中間部分で支持部４４に後側から挿通されたネジ５４により前後に着脱自在に結合されている。
【００３３】
この種の遊技機では、各図柄表示リール４の回転中に各ストップボタン２２を押圧操作して、対応する図柄表示リール４を停止させて、その第１表示窓８に表示される各図柄表示リール４の停止図柄の組み合わせの成否によりゲームを行う。
【００３４】
各ストップボタン２２は通常戻しバネ２８の付勢により規制手段５０の係合爪５０ｂが後保持部４５ｂの後端に係合する待機位置にあり、被操作部２６が前カバー２５から前側に突出している。胴保持部４５の前端は、被操作部２６の環状凹部３７から後側に外れている。
【００３５】
そこで、遊技者が図柄表示リール４を停止させるべくストップボタン２２の被操作部２６を押圧操作すると、胴部３２が戻しバネ２８に抗して胴保持部４５内で押圧方向に摺動し、胴保持部４５の前端が被操作部２６の環状凹部３７内に相対的に進入する。そして、被操作部２６、胴部３２が最大押圧位置まで移動したときに鍔部５０ａが後保持部４５ｂの前端に当接してその位置に規制する。
【００３６】
一方、被操作部２６の押圧により被検出片４０が検出スイッチ２９内に入り、検出スイッチ２９がこの被検出片４０を介して被操作部２６の押圧操作を検出するため、対応する図柄表示リール４に対して停止信号を送信する。
【００３７】
このような構成の押しボタンユニット２３では、次のような利点がある。ストップボタン２２は被操作部２６が胴部３２よりも大径であって、被操作部２６の最外周縁が胴部３２、胴保持部４５の外側に位置する構造であるため、被操作部２６の操作性を低下させることなく押しボタンユニット２３の全体的な構造の小型化を容易に図ることが可能である。
【００３８】
何故ならストップボタン２２の被操作部２６が胴部３２、胴保持部４５よりも大径であるため、被操作部２６の操作性を容易に確保することが可能であり、また、胴部３２、胴保持部４５を収容するボタンケース２７側の小型化を図ることができる。
【００３９】
しかも、胴部３２、胴保持部４５が被操作部２６よりも小径であるため、押しボタンユニット２３に複数個のストップボタン２２を並べて配置する場合にも、被操作部２６の操作性を考慮して各ストップボタン２２相互間の間隔を決定すればよく、胴部３２、胴保持部４５が原因で各ストップボタン２２相互間の間隔を決定する等の問題も生じ得ず、全体的な小型化を容易に図ることができる。
【００４０】
また、被操作部２６は、遊技者の押圧操作用の頂部３３と、この頂部３３の外周側から胴部３２の外周側へと拡径する拡径部３４とを一体に備えた偏平状であるため、押しボタンユニット２３の前側に被操作部２６を突出状に設けるに当たっても、押しボタンユニット２３の前面側と被操作部２６との間に極端な段差４５ｃができるようなこともなく、押しボタンユニット２３の前面側に対して被操作部２６の前面側を滑らかにすることができる。
【００４１】
更に、被操作部２６の頂部３３と、この頂部３３の外周側の近傍に配置された胴部３２とを一体に備えているので、被操作部２６と胴部３２との一体成型が可能であり、成型金型の構造を簡素化することができる。また、被操作部２６は胴部３２の外周側に、被操作部２６を押圧操作したときにボタンケース２７の胴保持部４５の前端が入る環状凹部３７を備えているため、環状凹部３７がないものに比較して被操作部２６及び胴部３２の軸方向の長さを短くすることが可能である。
【００４２】
しかも、胴保持部４５の前端が被操作部２６の環状凹部３７に入るため、胴保持部４５を被操作部２６の近傍側へと伸ばすことが可能であり、胴部３２、胴保持部４５の長さを大きくして被操作部２６の傾きを少なくすることができる。
【００４３】
押しボタンユニット２３はケース本体４２の前側に支持部４４を備え、その支持部４４を操作パネル部１４の装着部２４に後側から着脱自在に装着しているため、操作パネル部１４の装着部２４に前側から装着する場合のように、ボタンケース２７の支持部４４から後側を装着部２４の開口部４７に挿入する必要がなく、押しボタンユニット２３の装着を容易に行うことができる。なお、支持部４４を装着部２４に固定するネジは前後の何れから螺合してもよい。
【００４４】
また押しボタンユニット２３を前側から覆う前カバー２５を操作パネル部１４の装着部２４の前側に配置して、この前カバー２５を装着部２４の後側からネジ５２により固定しているので、前カバー２５を前側から取り外す等の不正行為を防止できる。
【００４５】
図１０は本発明の第２の実施形態を例示している。この実施形態では、胴部３２、胴保持部４５は、全長にわたって同一径の円筒状に構成されている。胴部３２は被操作部２６と一体であり、胴保持部４５により前後方向に摺動自在に保持されている。
【００４６】
胴部３２と胴保持部４５との間には規制手段５０が設けられている。この規制手段５０は、被操作部２６を最大押圧位置に押圧操作したときに胴部３２の後端の当接部５０ｄが胴保持部４５の中間底部４５ｄ側の受け部５０ｅに前側から当接し、待機位置のときに戻しバネ２８の付勢により胴部３２の係合爪５０ｂが胴保持部４５の係合部５０ｆに後側から係合するようになっている。
【００４７】
胴部３２内には遮光筒部５５を介して反射壁部３９が着脱自在に設けられている。反射壁部３９は被操作部２６側に延びる遮光筒部５５を外周に一体に備え、その遮光筒部５５が係合手段５６を介して胴部３２に着脱自在に結合されている。係合手段５６は胴部３２に形成された周方向に複数個の係合孔５６ａと、遮光筒部５５に設けられ且つ係合孔５６ａに係脱自在に係合する複数個の係合爪５６ｂとを有する。他の構成は第１の実施形態と略同様である。
【００４８】
この実施形態では、通常、被操作部２６は規制手段５０と戻しバネ２８とにより待機位置に保持されている。そして、被操作部２６を押圧すると、胴部３２が戻しバネ２８に抗しながら胴保持部４５内で後側へと摺動し、最大押圧位置まで移動したときに、胴部３２の後端の当接部５０ｄが胴保持部４５の受け部５０ｅに当接して胴部３２の移動を規制する。
【００４９】
このように胴部３２及び胴保持部４５は、前後方向に略同一径の直円筒状に構成することも可能であり、その場合にも胴部３２を被操作部２６と一体に構成することができる。また、ＬＥＤ３０からの光により被操作部２６の頂部３３側を発光させる場合には、胴部３２を被操作部２６と同じ光透過性の材料により構成することになるが、反射壁部３９の外周に遮光筒部５５を設けることにより、光の外側への拡散を防止することができる。
【００５０】
図１１（ａ）〜（ｆ）は本発明の第３の実施形態を例示している。被操作部２６と胴部３２は、被操作部２６が胴部３２よりも大径であればよく、図１１（ａ）〜（ｆ）に示すように種々のものがある。なお、他の構成は第１の実施形態と同様である。
【００５１】
図１１（ａ）の被操作部２６は頂部３３と拡径部３４とを備え、その頂部３３と拡径部３４との境界部分の後側に胴部３２が設けられている。図１１（ｂ）の被操作部２６は頂部３３と拡径部３４とを備え、その拡径部３４の中間部分の後側に胴部３２が設けられている。
【００５２】
図１１（ｃ）の被操作部２６は平坦状の頂部３３と、この頂部３３の外周から後側に延びる筒部３５とを一体に備え、その頂部３３の外周近傍に胴部３２が設けられており、拡径部３４がない形状となっている。図１１（ｄ）の被操作部２６は前側に盛り上がる頂部３３と、この頂部３３の外周から胴部３２の外周側へと緩やかな円弧状に湾曲する拡径部３４とを有する。図１１（ｅ）の被操作部２６は、後側に凹入する頂部３３と、この頂部３３の外周から胴部３２の外周側へと拡径する拡径部３４とを有する。図１１（ｆ）の胴部３２は前端側の外周にフランジ部３４ａを備え、このフランジ部３４ａの外周側に被操作部２６の拡径部３４の後端が一体に接続されている。
【００５３】
このように被操作部２６の形状、構造は種々の変更が可能であり、その頂部３３を前側から軸方向に押圧操作できるものであれば十分である。また、被操作部２６の頂部３３の後側面に粗面状又は凹凸状等の乱反射面を設けて、ＬＥＤ３０からの光が乱反射面で乱反射して頂部３３が発光するようにしてもよい。
【００５４】
図１２は本発明の第４の実施形態を例示する。この実施形態では、ストップボタン２２の被操作部２６は頂部３３と、この頂部３３の外周側から胴部３２側に屈曲する直円筒状の筒部３５とを一体に備え、その筒部３５に後側から胴部３２の前部側の取り付け筒部５８が係合手段５９を介して着脱自在に結合されている。係合手段５９は筒部３５に形成された周方向に複数個の係合孔５９ａと、胴部３２の取り付け筒部５８に形成され且つ係合孔５９ａに係脱自在に係合する係合爪５９ｂとを有する。
【００５５】
被操作部２６の外周の筒部３５は胴部３２よりも大径であり、その外周は胴部３２よりも外側に位置している。胴部３２は胴保持部４５により摺動自在に保持され、また、胴保持部４５は被操作部２６の外周よりも若干小径である。被操作部２６の筒部３５と胴保持部４５との間には、被操作部２６を押圧したときに被操作部２６、胴部３２が前後方向に移動できるように所定の間隙が設けられている。前カバー２５の周壁部４６は被操作部２６の筒部３５の外周に近接している。その他の構成は各実施形態と同様である。
【００５６】
この実施形態に例示するように、ストップボタン２２の被操作部２６は、その外周が胴部３２よりも大径であり、胴保持部４５よりも小径であってもよい。また被操作部２６と胴部３２は別々に成型して、被操作部２６の筒部３５に胴部３２の取り付け筒部５８を着脱自在に結合してもよい。
【００５７】
図１３は本発明の第５の実施形態を例示する。この実施形態では、被操作部２６は、頂部３３と拡径部３４と筒部３５とを有し、その筒部３５の後端に鍔部３５ａが一体に設けられている。筒部３５の外周には前カバー２５の周壁部４６が近接して配置され、この周壁部４６の後側に鍔部３５ａが配置されている。その他の構成は各実施形態等と同様である。
【００５８】
この実施形態のように被操作部２６の筒部３５の後端側に鍔部３５ａを設け、この鍔部３５ａを前カバー２５の周壁部４６の後端側に対向して配置することも可能である。このようにすれば、被操作部２６と前カバー２５の周壁部４６との間の隙間を極力塞ぐことができる。
【００５９】
図１４、図１５は本発明の第６の実施形態を例示する。この実施形態では、被操作部２６は前後方向に偏平な截頭角錐状に形成されている。前カバー２５には周壁部５３の内側の開口部５１が角形状になっており、この開口部５１内に被操作部２６が前後方向に移動自在に配置されている。その他の構成は各実施形態等と同様である。
【００６０】
このように被操作部２６の正面視形状は截頭角錐状に形成してもよい。被操作部２６はその正面視形状が丸形に限定されるものではない。なお、被操作部２６は丸形、角形以外の形状であってもよい。
【００６１】
図１６〜図１８は本発明をパチンコ機の押しボタン、例えばチャンスボタンに採用した第７の実施形態を例示する。パチンコ機は、図１６に示すように、遊技盤（図示省略）が着脱自在に装着された前枠等の遊技機本体６１と、遊技機本体６１の前側に開閉自在に配置され且つ遊技盤を視認可能な第１前パネル（図示省略）と、遊技機本体１の前側で第１前パネルの下側に開閉自在に配置された第２前パネル６２とを備えている。第１前パネルと第２前パネル６２とを一体化して前パネルを構成してももよい。
【００６２】
第２前パネル６２には、発射手段（図示省略）に供給する発射用の遊技球を貯留する球貯留部６３と、球貯留部６３を取り囲む化粧カバー６４と、発射手段用の操作用の発射ハンドル６５とが設けられている。化粧カバー６４の前側には、遊技中に適宜発光演出を行う発光演出手段６６と、遊技中に所定条件の場合に遊技者が操作可能なチャンスボタン６７とが配置されている。
【００６３】
チャンスボタン６７は図１７、図１８に示すように被操作部２６と胴部３２とを有し、その胴部３２が支持部材７１の胴保持部４５に前後方向に摺動自在に保持されている。被操作部２６と頂部３３と拡径部３４と筒部３５とを有する横長の長円形状又は楕円形状に構成されている。頂部３３の後側には胴部３２内に乱反射板６８が設けられ、この乱反射板６８の中央部に被検出片４０を有するバネ受け具６９が設けられている。乱反射板６８は頂部３３側に凹凸状の乱反射面６８ａを有する。被操作部２６の筒部３５と胴部３２との間は、胴保持部４５に対応して環状凹部３７が設けられている。
【００６４】
胴部３２と胴保持部４５との間には規制手段５０が設けられている。この規制手段５０は、被操作部２６を最大押圧位置に押圧操作したときに胴部３２の後端の当接部５０ｄが胴保持部４５側の受け部５０ｅに前側から当接し、待機位置のときに戻しバネ２８の付勢により胴部３２の係合爪５０ｂが胴保持部４５の係合部５０ｆに後側から係合するようになっている。係合爪５０ｂ、係合部５０ｆは周方向に複数個、例えば略対称位置に４個設けられている。
【００６５】
支持部材７１は化粧カバー６４の裏側にネジ７３により着脱自在に固定されている。支持部材７１の後側には、ＬＥＤ３０、検出スイッチ２９等を有するスイッチ基板３１が装着され、支持部材７１に着脱自在に装着された裏カバー７４により覆われている。その他の構成は第１の実施形態等と同様である。
【００６６】
このようにパチンコ機のチャンスボタン６７においても、その被操作部２６を胴部３２、胴保持部４５よりも大径にすることにより、第１の実施形態と同様に実施することが可能である。また被操作部２６を横長の長円形状又は楕円形状に構成することにより、被操作部２６の操作領域を十分に確保することができる。
【００６７】
以上、本発明の実施形態について詳述したが、本発明はこれらの実施形態に限定されるものではなく、本発明の趣旨を逸脱しない範囲で種々の変更が可能である。例えば、ストップボタン２２の被操作部２６の正面視形状は、各実施形態に例示の円形、楕円形又は多角形に限らず、星形や矢印などでもよい。
【００６８】
また、押しボタンとしてストップボタン２２、チャンスボタン６７を例示しているが、押しボタンの範疇に属するものであれば、ベットボタン１７、マックスベットボタン１８等、どのようなボタンにも対応可能である。
【００６９】
操作パネル部１４の装着部２４に対して押しボタンユニット２３、前カバー２５を装着するに当たっては、押しボタンユニット２３を後側から、前カバー２５を前側から夫々装着する構成としたが、例えば押しボタンユニット２３を前カバー２５に装着し、その前カバー２５を装着部２４に前側から装着するか、前カバー２５を押しボタンユニット２３に装着し、その押しボタンユニット２３を装着部２４に前側から装着するようにしてもよい。
【００７０】
更に、実施形態ではスロットマシン、パチンコ機を例に挙げて説明したが、押しボタンを搭載した遊技機であれば、スロットマシン、パチンコ機等の各種の遊技機にも適用可能であることはいうまでもない。
【符号の説明】
【００７１】
２２  ストップボタン（押しボタン）
２６  被操作部
２７  ボタンケース
３２  胴部
３３  頂部
３４  拡径部
３７  環状凹部
４５  胴保持部
【図１】
0006050789.tif 000002
【図２】
0006050789.tif 000003
【図３】
0006050789.tif 000004
【図４】
0006050789.tif 000005
【図５】
0006050789.tif 000006
【図６】
0006050789.tif 000007
【図７】
0006050789.tif 000008
【図８】
0006050789.tif 000009
【図９】
0006050789.tif 000010
【図１０】
0006050789.tif 000011
【図１１】
0006050789.tif 000012
【図１２】
0006050789.tif 000013
【図１３】
0006050789.tif 000014
【図１４】
0006050789.tif 000015
【図１５】
0006050789.tif 000016
【図１６】
0006050789.tif 000017
【図１７】
0006050789.tif 000018
【図１８】
0006050789.tif 000019